(57)【特許請求の範囲】
【請求項１】
前枠(3) の裏側に、該前枠(3) の裏側の遊技盤装着枠(7) を介して遊技盤(9) を装着し、前記前枠(3) の前側に、該前枠(3) と該前枠(3) の左右の側枠部(32)を前面側から覆う合成樹脂製の前枠カバー(33)との間に介在された金枠(17)を介してガラス扉(13)を開閉自在に枢着し、前記前枠(3) の左右両側に複数個の取り付け孔(35)を設け、前記遊技盤装着枠(7) 及び前記金枠(17)に、前記前枠(3) の左右両側の前記各取り付け孔(35)に対応する複数個の取り付け孔(54)(40)を設け、前記各前枠カバー(33)の裏側に、前記金枠(17)の前記各取り付け孔(40)に嵌合して位置決めし且つ前記前枠(3) の前記各取り付け孔(35)に嵌合する複数個のボス部(59)と、前記金枠(17)を前記前枠(3) 側に押圧する押圧部(58)とを一体に形成し、前記遊技盤装着枠(7) の前記各取り付け孔(54)に裏側から挿通され且つ前記前枠(3) の前記各取り付け孔(35)内で前記各ボス部(59)に螺合するネジ(60)により、前記前枠カバー(33)と前記遊技盤装着枠(7) とを前記前枠(3) に固定したことを特徴とする弾球遊技機。
【発明の詳細な説明】
【０００１】
【発明の属する技術分野】
本発明は、パチンコ機、アレンジボール機、雀球機等の弾球遊技機に関するものである。
【０００２】
【従来の技術】
従来のパチンコ機等の弾球遊技機では、前枠の上部に窓孔を形成し、この窓孔に対応して前枠の裏側に遊技盤装着枠を介して遊技盤を装着すると共に、遊技盤の前側にガラス扉を開閉自在に設け、また前枠の下部側に上皿ユニット、下皿ユニット、発射手段の発射ハンドル等を設けている。
【０００３】
前枠は、帯状のベニヤ板を上下、左右に接合した枠体の前面側にセルロイド製等の化粧シートを接着剤で接着して構成している。そして、この化粧シートの前側から前枠の窓孔に門形状の金枠を嵌め込んでネジにより固定し、この金枠を介してガラス扉を開閉自在に枢支すると共に、枢支側と反対側の施錠手段によりガラス扉を閉状態にロックするようにしている。
【０００４】
【発明が解決しようとする課題】
従来の弾球遊技機では、金枠を門形状に構成し、この金枠を前枠の窓孔に嵌め込んで固定する構造を採っている。このため、従来の金枠は形状的に非常に大きなものになり、金枠自体の製作コストが高騰し、また組み立て時の取り扱いが煩雑である等の欠点がある。
【０００５】
特に金枠は、前枠の窓孔に沿ってその周辺部分に門形状に配置しており、弾球遊技機の前面側に露出しているため、組み立て等に際しては、金枠を損傷し又は変形させないように慎重に取り扱う必要があり、金枠が大型で、しかも形状的に門形状であることと相俟って、その取り扱いが非常に煩雑である。
【０００６】
また前枠の窓孔に沿ってその周辺部分に門形状に配置しており、金枠自体が非常に大型であるため、この金枠によって弾球遊技機の前面側のデザインが制約され、又は大きく損なわれると言う欠点もある。
【０００７】
本発明は、遊技機の前側のデザインを自由に決定でき、組み立て時の作業性が向上し、容易且つ能率的に組み立て可能である弾球遊技機を提供することを目的とする。
【０００８】
【課題を解決するための手段】
本発明は、前枠3 の裏側に、該前枠3 の裏側の遊技盤装着枠7 を介して遊技盤9 を装着し、前記前枠3 の前側に、該前枠3 と該前枠3 の左右の側枠部32を前面側から覆う合成樹脂製の前枠カバー33との間に介在された金枠17を介してガラス扉13を開閉自在に枢着し、前記前枠3 の左右両側に複数個の取り付け孔35を設け、前記遊技盤装着枠7 及び前記金枠17に、前記前枠3 の左右両側の前記各取り付け孔35に対応する複数個の取り付け孔54,40 を設け、前記各前枠カバー33の裏側に、前記金枠17の前記各取り付け孔40に嵌合して位置決めし且つ前記前枠3 の前記各取り付け孔35に嵌合する複数個のボス部59と、前記金枠17を前記前枠3 側に押圧する押圧部58とを一体に形成し、前記遊技盤装着枠7 の前記各取り付け孔54に裏側から挿通され且つ前記前枠3 の前記各取り付け孔35内で前記各ボス部59に螺合するネジ60により、前記前枠カバー33と前記遊技盤装着枠7 とを前記前枠3 に固定したものである。
【００１１】
【発明の実施の形態】
以下、本発明の実施形態を図面に基づいて詳述する。
【００１２】
図１乃至図７は本発明の第１の実施形態を例示する。図１乃至図４において、１  は弾球遊技機本体で、矩形枠状の外枠２  と、この外枠２  の前側に配置された前枠３  とを備えている。前枠３  は左端側の上下一対の前枠用ヒンジ４，５  を介して外枠２  に着脱及び開閉自在に装着されている。
【００１３】
前枠３  の裏側には、その窓孔６  に対応して遊技盤装着枠７  と遊技盤受け枠８  とが固定されている。遊技盤装着枠７  及び遊技盤受け枠８  は遊技盤９  を着脱自在に装着するためのもので、これら遊技盤装着枠７  及び遊技盤受け枠８  に遊技盤９  が裏側から着脱自在に嵌着され、裏機構板１０により固定されている。
【００１４】
なお、遊技盤９  の前面には、図５及び図６に示すように、遊技球を案内するガイドレール１１、障害釘１２等の他に、変動図柄表示手段等の遊技部品が装着されている。
【００１５】
前枠３  の窓孔６  には、遊技盤装着枠７  等に装着された遊技盤９  を前面側から覆うガラス扉１３と、遊技盤９  の下側に配置された発射手段１４の発射機構１５等を覆う開閉板１６とが上下に配置されている。ガラス扉１３及び開閉板１６は、金枠１７を介して前枠３  に開閉自在に枢支され、且つ施錠手段により閉状態にロックされている。開閉板１６には合成樹脂製の上皿ユニット１８が装着され、この上皿ユニット１８は上皿１９と、上皿１９を覆う上皿カバー２０とにより構成されている。
【００１６】
前枠３  の下端部の前面側には、下皿ユニット２１と発射手段１４の発射ハンドル２２とが左右に配置されている。下皿ユニット２１は、上皿１９から溢流した遊技球を受ける下皿２３と、喫煙者用の灰皿２４と、これらを覆う下皿カバー２５とにより構成されている。
【００１７】
発射ハンドル２２は、図７に示すように、取り付け板２６に固定された支持筒２７の前端側に設けられており、この発射ハンドル２２を回動操作した時に、前枠３  の裏面側の発射モータ２８が作動して、発射機構１５の打撃槌２９により発射レール上の遊技球を打撃し、その遊技球をガイドレール１１側に発射するようになっている。取り付け板２６は前枠３  の裏側に当接され、この取り付け板２６に発射モータ２８、打撃槌２９等を含む発射機構１５が取り付けられている。
【００１８】
前枠３  はベニヤ板製であって、図３及び図４に示すように、遊技盤９  用の窓孔６  を形成すべく上下、左右に配置された上枠部３０、下枠部３１及び左右の側枠部３２を一体に接合して構成されている。そして、前枠３  の下枠部３１には、この下枠部３１の全体を前面側から覆うように合成樹脂製の下皿カバー２５が装着され、また左右の側枠部３２には、この各側枠部３２を前面側から覆うように合成樹脂製の前枠カバー３３が装着されている。
【００１９】
前枠３  には、図３に示すように、前面側の左右両側に金枠１７用の嵌合凹部３４が前面側に形成されると共に、複数個の取り付け孔３５が前後に貫通して形成されている。各嵌合凹部３４は側枠部３２から上枠部３０と下枠部３１との一部に達するように、各側枠部３２に沿って上下方向に形成されている。取り付け孔３５は各側枠部３２から上枠部３０に跨がって設けられ、その各側枠部３２側の取り付け孔３５は嵌合凹部３４内に、上枠部３０側の取り付け孔３５はその左右両端部で嵌合凹部３４から外れた位置に夫々設けられている。
【００２０】
金枠17は、図３に示すように、ガラス扉13を枢支する枢支枠部36側と、ガラス扉13を施錠する施錠枠部37側とに分割されており、前枠3 の嵌合凹部34内に嵌合して前枠3 と前枠カバー33との間に介在して装着されている。枢支枠部36及び施錠枠部37は、窓孔6 の上下両端に達する長さの帯状又は棒状の金属板からなり、この枢支枠部36及び施錠枠部37には、図５に示すように、内側にガラス扉13用の溝部38が、前側に２個の山形状の突条部39が夫々形成され、その突条部39間に、側枠部32の各取り付け孔35に対応する複数個の取り付け孔40が設けられている。突条部39は溝部38の近傍側と、この溝部38と反対の端縁側とに設けられている。
【００２１】
なお、枢支枠部３６には、その溝部３８側に３個の突部４１が成形され、この各突部４１に上下方向に挿通されたヒンジ軸４２によりガラス扉１３と開閉板１６とが開閉自在に枢支されている。また施錠枠部３７には、その溝部３８側に上下摺動自在に施錠手段のロック板４３が設けられ、このロック板４３によりガラス扉１３と開閉板１６との係合ピンを係脱自在に係止するようになっている。
【００２２】
ガラス扉１３は、図５及び図６に示すように、開口部４４を有する金属板製のガラス扉枠４５と、このガラス扉枠４５の前面側に装着された合成樹脂製の扉カバー４６と、ガラス扉枠４５の裏側に固定されたガラスレール部４７と、このガラスレール部４７に上側から挿入された２枚のガラス板４８とにより構成されている。開口部４４は、上側がガイドレール１１に沿って円弧状に形成され、下側が角形に形成されている。
【００２３】
ガラス扉枠４５及び扉カバー４６は、図６に示す如く、ガラス扉１３を閉じた時に左右の前枠カバー３３間で前枠３  の上枠部３０を前側から覆うように、上部側が前枠３  の上端側まで延びている。そして、扉カバー４６には、ガラス扉枠４５の開口部４４に嵌合する開口縁部４９が開口部４４の形状に合わせて一体に形成され、また前側に張り出す庇部５０が上部側に左右方向に形成され、その庇部５０の左右両側に電飾部５１が２個づつ設けられている。
【００２４】
なお、ガラスレール部４７及び扉カバー４６は、ネジ５２によりガラス扉枠４５に固定されている。
【００２５】
遊技盤装着枠７  は、図３及び図４に示すように、前枠３  の窓孔６  を取り囲み且つ下側が開放する門形状であって、内側の全周に段部５３が形成されており、裏側から嵌め込まれた遊技盤９  を段部５３と裏機構板１０との間で挟持して固定するようになっている。この遊技盤装着枠７  には、前枠３  側の取り付け孔３５に対応する複数個の取り付け孔５４が縦枠部及び横枠部に形成されると共に、遊技盤受け枠８  を着脱自在に固定するロックレバー５５が裏側に２個設けられている。
【００２６】
遊技盤受け枠８  は、遊技盤装着枠７  に嵌合する遊技盤９  を下側から受けるもので、窓孔６  の下部側で遊技盤装着枠７  の下端側に配置されており、この遊技盤受け枠８  の左右両端部には、前枠３  の下端側の取り付け孔３５に対応する取り付け孔５６が形成されている。
【００２７】
左右の各前枠カバー３３は、下皿カバー２５から上側で側枠部３２に沿って前枠３  の上端までを前面側から覆うように、側枠部３２と略同一幅で上下方向に長い正面視帯状に構成されている。そして、各前枠カバー３３は、図５にも示すように、前枠３  の前面側に当接する周縁部５７と、上下方向に所定間隔をおいて左右方向に配置された複数個の補強リブ５８と、前枠３  の各取り付け孔３５に対応し且つ裏側に突出する複数個のボス部５９とが裏側に一体に形成されている。
【００２８】
各ボス部５９は前枠３  の厚さよりも若干短く前枠３  の裏側に突出しない程度の長さであって、金枠１７の各取り付け孔４０に嵌合して各枠部３６，３７  を位置決めすると共に、前枠３  の各取り付け孔３５に嵌合している。そして、このボス部５９には、前枠３  の取り付け孔３５内において、遊技盤装着枠７  及び遊技盤受け枠８  の取り付け孔５４，５６  に裏側から挿通されたネジ６０が螺合されており、このネジ６０により前枠カバー３３と遊技盤装着枠７  及び遊技盤受け枠８  が前枠３  の前後に締結して固定されている。
【００２９】
補強リブ５８は、前枠カバー３３を裏側から補強すると共に、前枠カバー３３を前枠３  に固定した時に、金枠１７の各枠部３６，３７  の突条部３９に前側から当接して、各枠部を前枠３  側に押圧し固定する押圧部を兼用するようになっている。
【００３０】
なお、左側の前枠カバー３３は、中央部分が前枠３  から若干前側に浮き上がるように全体として略偏平状になっており、また右側の前枠カバー３３は、ガラス扉１３側が高くなるように断面三角形状に突出すると共に、その中間部分に施錠カバー６１が装着されている。
【００３１】
前枠３  の下枠部３１の裏側には、図７に示すように、上皿から溢流した遊技球を案内するための案内ダクト６２が配置され、この案内ダクト６２と下皿は下枠部３１を前後から挟んでネジ６３により固定されている。下皿カバー２５は、下枠部３１の全体を前面側から覆う前枠カバー兼用であって、裏側に突出する複数個のボス部６４を一体に備え、その各ボス部６４が下枠部３１の取り付け孔６５に嵌合されている。そして、この各ボス部６５には、下枠部３１の裏側に当接された発射ハンドル２２用の取り付け板２６、清算スイッチ用の取り付け板６６等の裏機構部材に裏側から挿通されたネジ６７が螺合され、このネジ６７により下皿カバー２５と各取り付け板２６，６６  とが下枠部３１に固定されている。
【００３２】
なお、図２において、６８は遊技盤９  の遊技部品を裏側から覆う裏カバー、６９は遊技盤９  の入賞口等に入賞した遊技球を集める入賞球タンクで、これらは遊技盤９  の裏側に装着されている。７０は賞球を上皿に払い出す球払い出し手段、７１は球払い出し手段７０から払い出された遊技球を上皿１９に案内するため等の案内ユニット、７２は賞球を貯留する賞球タンク、７３は賞球タンク７２からの賞球を球払い出し手段７０に案内する賞球タンクレールで、これらは裏機構板１０の裏側に装着されている。
【００３３】
上記構成の弾球遊技機によれば、次のような利点がある。
【００３４】
この弾球遊技機には、前枠３  の各側枠部３２の前側に前枠カバー３３が、下枠部３１の前側に下皿カバー２５が、ガラス扉１３の前側に扉カバー４６が、開閉板１６の前側に上皿カバー２０が夫々あるため、これらの各カバー２０，２５，３３，４６  の形状によって弾球遊技機全体の前側のデザインを自由に決定することができる。特に各カバー２０，２５，３３，４６  が合成樹脂製であるため、金形成形が可能な範囲内で比較的容易にデザインを選択し決定することが可能である。
【００３５】
従って、従来のベニヤ板製の枠体に化粧シートを接着して前枠３  を構成する場合に比較して、各カバー２０，２５，３３，４６  に立体感を持たせる等、弾球遊技機の前面側を質感、量感に溢れた豪華且つ斬新なデザインに仕上げることができる。
【００３６】
また前枠カバー３３は前枠３  の下枠部３１の前面側の下皿カバー２５から上側にあり、この前枠カバー３３によって前枠３  の各側枠部３２と共に金枠１７の各枠部３６，３７  を前面側から覆っているので、金枠１７が前面側に露出することもなく、従来のベニヤ板製の前枠３  の前面側に化粧シートを装着する弾球遊技機に比べて前面側のデザインの低下を防止できる。従って、弾球遊技機の前面側のデザイン性が非常に向上し、高級感のある弾球遊技機を容易に製作できる。
【００３７】
更にガラス扉１３は前枠３  の窓孔６  の上端側を越えて前枠３  の上端まで一体に延びており、このガラス扉１３により前枠３  の上枠部３０を前面側から覆うようにしているため、前枠３  の上枠部３０を前面側から覆うためのカバーが不要になり、これによって部品点数を削減、製作コストの低減、組み立て作業の能率化を図ることができる。
【００３８】
特に、ガラス扉１３で前枠３  の上枠部３０を前面側から覆う一方、左右の前枠カバー３３を前枠３  の上端まで延ばしているので、弾球遊技機の前面側に入る分割線の数が少なくなり、弾球遊技機の前面側のデザインがすっきりしたものになる。
【００３９】
しかもガラス扉１３は窓孔６  から上側に一体に延びているので、その扉カバー４６の上部側に、電飾部５１付きの庇部５０を設けることができる等、弾球遊技機の上部側の装飾性も容易に確保することができる。
【００４０】
各前枠カバー３３に一体に成形したボス部５９を前枠３  及び金枠１７の取り付け孔３５，４０  に嵌合し、遊技盤装着枠７  及び遊技盤受け枠８  の取り付け孔５４，５６  に裏側から挿通されたネジ６０をボス部５９に螺合して締結しているので、ネジ６０の締結により前枠３  の前後の前枠カバー３３、金枠１７、遊技盤装着枠７  及び遊技盤受け枠８  を前枠３  に一挙に固定でき、組み立て時の作業性が著しく向上し、容易且つ能率的な組み立て作業が可能である。
【００４１】
しかも、使用後の弾球遊技機を分解して合成樹脂材料等を再利用する場合にも、ネジ６０を外すことにより、前枠カバー３３、金枠１７、遊技盤装着枠７  及び遊技盤受け枠８  を前枠３  から分離できるため、分解時の作業も容易である。このため、弾球遊技機の分解に要するコストも大幅に低減し、コスト的にも材料の再利用が容易になる利点がある。
【００４２】
ボス部５９は前枠３  の裏側に突出しない程度の厚さであり、前枠カバー３３から裏側への突出量が小さいので、前枠カバー３３の裏側にボス部５９が一体にあるにも拘わらず、組み立て前の前枠カバー３３の取り扱いが容易であると共に、組み立てた状態では前枠３  の取り付け孔３５内でボス部５９にネジ６０が螺合するため、遊技盤装着枠７  等にかかる外力によりボス部５９が剪断するようなことも防止できる。
【００４３】
更に金枠１７は、ガラス扉１３を枢支する枢支枠部３６と、施錠手段側の施錠枠部３７とに分割し、その各枠部３６，３７  を上下方向に長い帯状又は棒状に構成しているため、従来の窓孔６  に嵌合する門形状の金枠を用いる場合に比較して、金枠１７が非常に簡単で小形であり、金枠１７を容易且つ安価に製作でき、その製作コストを大幅に低減できる。
【００４４】
また金枠１７の枢支枠部３６、施錠枠部３７に取り付け孔４０を形成し、この取り付け孔４０に前枠カバー３３のボス部５９を嵌合して位置決めしているため、金枠１７を左右の枢支枠部３６と施錠枠部３７とに分割しているにも拘わらず、枢支枠部３６と施錠枠部３７とを前枠３  の各側枠部３２に沿って確実に位置決めでき、ガラス扉１３及び開閉板１６の傾き等を防止して、ガラス扉１３及び開閉板１６の開閉、施錠を円滑且つ確実にできる。
【００４５】
ボス部５９は前枠３  の取り付け孔３５に嵌合しているので、単に枢支枠部３６、施錠枠部３７の取り付け孔４０に嵌合するだけの短い場合に比較して、枢支枠部３６、施錠枠部３７がボス部５９から離脱することもなく、またガラス扉１３の開閉時に金枠１７に大きな外力がかかった場合にも、ボス部５９の負担を軽減でき、ボス部５９の折損等を容易に防止できる。
【００４６】
前枠３  の各側枠部３２に金枠１７用の嵌合凹部３４を形成し、この嵌合凹部３４に金枠１７の枢支枠部３６及び施錠枠部３７を夫々嵌合しているので、金枠１７の枢支枠部３６及び施錠枠部３７に、板厚を薄くして突条部３９で剛性を確保したものを用いることが可能であり、左右の枢支枠部３６と施錠枠部３７と分割することと相俟って、金枠１７の製作コストを大幅に低減できる。
【００４７】
しかも、金枠１７の枢支枠部３６と施錠枠部３７には、ガラス扉１３の縁部が嵌合する溝部３８を形成するだけでなく、この溝部３８側とその反対側とに２条の突条部３９を上下方向に形成する一方、この突条部３９を前枠カバー３３の補強リブ５８で前枠３  側に押圧しているので、枢支枠部３６及び施錠枠部３７の前後方向のガタツキを確実に防止でき、前枠３  と前枠カバー３３との間で枢支枠部３６及び施錠枠部３７を確実に挟持し固定できる。
【００４８】
また突条部３９が山形状であって、その頂部を前枠カバー３３の補強リブ５８で押圧するようにしているため、枢支枠部３６及び施錠枠部３７に板厚の比較的薄い材料を使用した場合には、ネジ６０を締め付けた時に突条部３９を弾性的に変形させることができ、多少の製作誤差があっても、枢支枠部３６及び施錠枠部３７を固定しつつ、前枠カバー３３の周縁部５７を前枠３  の前面側に確実に当接させることができる。
【００４９】
下皿カバー25にもボス部64を設け、このボス部64を前枠3 の取り付け孔65に嵌合させて、発射ハンドル22の取り付け板26等の裏機構部材に裏側から挿通したネジ67をボス部64に螺合して固形しているので、このネジ67の締め付けにより下皿カバー25と裏機構部材とを同時に前枠3 の前後に固定できる。
【００５０】
図８は本発明の第２の実施形態を例示し、前枠カバー３３のボス部５９を前枠３  の裏側に突出させ、このボス部５９を遊技盤装着枠７  の取り付け孔５４に嵌合させたものである。
【００５１】
この場合には、ボス部59の突出量が多少大になるが、ボス部59を遊技盤装着枠7 の取り付け孔54に嵌合させて、その後に遊技盤装着枠7 の裏側からネジ60を挿通して締め付けるので、ネジ60の締め付け前にボス部59によって遊技盤装着枠7 を位置決めできる。従って、前枠3 の窓孔6 に対する前枠カバー33、金枠17、遊技盤装着枠7 の相対位置を確実に決めてからネジ60を締め付けることができ、組み立てに際しての位置決め作業が非常に容易である。
【００５２】
以上、本発明の実施形態について例示したが、本発明はこの実施形態に限定されるものではない。
【００５３】
例えば、前枠カバー３３の前面側の形状は、弾球遊技機全体のデザインに応じて自在に変更することができる。
【００５４】
またガラス扉１３には、従来と同じように前枠３  の窓孔６  に対応する大きさのものを使用することも可能である。
【００５５】
更に各実施形態では弾球遊技機として説明しているが、具体的にはパチンコ機、アレンジボール機、その他の何れであっても、全く同様に実施可能であることは言うまでもない。
【００５６】
【発明の効果】
本発明によれば、前枠3 の裏側に、該前枠3 の裏側の遊技盤装着枠7 を介して遊技盤9 を装着し、前枠3 の前側に、該前枠3 と該前枠3 の左右の側枠部32を前面側から覆う合成樹脂製の前枠カバー33との間に介在された金枠17を介してガラス扉13を開閉自在に枢着し、前枠3 の左右両側に複数個の取り付け孔35を設け、遊技盤装着枠7 及び金枠17に、前枠3 の左右両側の各取り付け孔35に対応する複数個の取り付け孔54,40 を設け、各前枠カバー33の裏側に、金枠17の各取り付け孔40に嵌合して位置決めし且つ前枠3 の各取り付け孔35に嵌合する複数個のボス部59と、金枠17を前枠3 側に押圧する押圧部58とを一体に形成し、遊技盤装着枠7 の各取り付け孔54に裏側から挿通され且つ前枠3 の各取り付け孔35内で各ボス部59に螺合するネジ60により、前枠カバー33と遊技盤装着枠7 とを前枠3 に固定しているので、遊技機の前側のデザインを自由に決定でき、組み立て時の作業性が向上し、容易且つ能率的に組み立てることができる。
【図面の簡単な説明】
【図１】本発明の第１の実施形態を示す弾球遊技機の斜視図である。
【図２】本発明の第１の実施形態を示す弾球遊技機の背面図である。
【図３】本発明の第１の実施形態を示す前枠等の分解斜視図である。
【図４】本発明の第１の実施形態を示す前枠の裏側の斜視図である。
【図５】図１のＡ−Ａ線拡大断面図である。
【図６】図１のＢ−Ｂ線拡大断面図である。
【図７】図１のＣ−Ｃ線拡大断面図である。
【図８】本発明の第２の実施形態を示す要部の断面図である。
【符号の説明】
３      前枠
７      遊技盤装着枠
９      遊技盤
１３    ガラス扉
２１    下皿ユニット
２３    下皿
２５    下皿カバー（前枠カバー）
２６，６６      取り付け板（裏機構部材）
３３    前枠カバー
３５    取り付け孔
４５，５４，６５    取り付け孔
５９，６４      ボス部
６０，６７    ネジ
【図１】
0003558926.tif 000002
【図２】
0003558926.tif 000003
【図３】
0003558926.tif 000004
【図４】
0003558926.tif 000005
【図５】
0003558926.tif 000006
【図６】
0003558926.tif 000007
【図７】
0003558926.tif 000008
【図８】
0003558926.tif 000009